(57)【要約】      （修正有）【課題】薄板の厚さ誤差とレーザの位置決め誤差が従来と変わらない場合でも、回転軸方向に隣接する薄板にレーザ溶け込み部が及ばず、回転軸方向に隣接する薄板との電気絶縁性が維持されるロータコアを提供する。【解決手段】ロータコア１０は、薄板１２ａ、１２ｂ、１２ｃ、１２ｄ、...が、回転軸１１方向に積層され、周方向に結合されてなる。薄板は、外周または内周に、レーザ溶接部１５、１６と、レーザ焦点外れによる非溶接部１７、１８を備える。回転軸１１方向に隣接する薄板は、レーザ溶接部１５、１６と非溶接部１７、１８を、回転軸１１方向に交互に備える。【選択図】図１
2012205446.tif 000002
【特許請求の範囲】
【請求項１】
円板を周方向に複数に分割してなる薄板が、回転軸方向に積層され、周方向に結合されてなるロータコアであって、
前記薄板の外周または内周の分割部に備えられたレーザ溶接部と、
前記薄板の外周または内周の非分割部に、外周または内周から、後退または突出した非溶接部を備え、
前記レーザ溶接部と前記非溶接部は、前記回転軸方向に交互に配置されたロータコア。
【請求項２】
前記各薄板内において、前記レーザ溶接の溶け込み部は前記非溶接部に及ばない、請求項１に記載されたロータコア。
【請求項３】
前記レーザ溶接部が、積層された各薄板へのスポット溶接により形成された、請求項１または２に記載されたロータコア。
【請求項４】
前記レーザ溶接部が、前記回転軸方向の連続溶接により形成された、請求項１または２に記載されたロータコア。
【請求項５】
前記レーザ溶接部が直線状または前記回転軸を中心とする円弧状であり、前記非溶接部が、前記レーザ溶接部より曲率半径の小さい凹形状である、請求項１から４のいずれかに記載されたロータコア。
【請求項６】
前記レーザ溶接部付近を除き、積層された前記薄板の分割境界面が、回転軸方向に同一面をなす、請求項１から５のいずれかに記載されたロータコア。
【請求項７】
前記レーザ溶接部を極中心部に有する、請求項１から６のいずれかに記載されたロータコア。
【請求項８】
前記レーザ溶接部を、極中心部と、回転方向反対側の極間部との間に有する、請求項１から６のいずれかに記載されたロータコア。
【請求項９】
前記レーザ溶接部と磁石孔の間に溶接熱遮断空隙を有する、請求項１から８のいずれかに記載されたロータコア。
【請求項１０】
前記レーザ溶接部を極間部に有する、請求項１から６のいずれか、または請求項９に記載されたロータコア。
【請求項１１】
ロータ外周近傍の磁石孔端部に、溶接熱遮断空隙を有する、請求項１０に記載されたロータコア。
【請求項１２】
さらにレーザ溶接により前記回転軸と締結された、請求項１から１１のいずれかに記載されたロータコア。
【請求項１３】
レーザ溶接によりロータコア端部が前記回転軸と締結された、請求項１２に記載されたロータコア。
【請求項１４】
ロータコア分割部のレーザ溶接と、ロータコア端部と回転軸のレーザ溶接が兼用された、請求項１３に記載されたロータコア。
【請求項１５】
請求項１から１４のいずれかに記載されたロータコアを備えたモータ。
【請求項１６】
外周または内周の分割部にレーザ溶接部を有し、外周または内周の非分割部に、外周または内周から、後退または突出した非溶接部を有する、円板を周方向に複数に分割してなる薄板を準備するステップと、
前記レーザ溶接部と非溶接部が、回転軸方向に交互に配置されるように、前記薄板を積層するステップと、
積層された前記薄板を周方向に結合するステップと、
前記レーザ溶接部をスポット溶接するステップを含むロータコアの製造方法。
【請求項１７】
外周または内周の分割部にレーザ溶接部を有し、外周または内周の非分割部に、外周または内周から、後退または突出した非溶接部を有する、円板を周方向に複数に分割してなる薄板を準備するステップと、
前記レーザ溶接部と非溶接部が、回転軸方向に交互に配置されるように、前記薄板を積層するステップと、
積層された前記薄板を周方向に結合するステップと、
前記レーザ溶接部を前記回転軸方向に連続溶接するステップを含むロータコアの製造方法。
【発明の詳細な説明】
【技術分野】
【０００１】
本発明はモータ（回転電動機）に用いられるロータコアとその製造方法、およびそのロータコアを用いたモータに関する。
【背景技術】
【０００２】
図１０は、ＰＭモータに用いられる、従来の第１例のロータコア１００である（例えば特許文献１、２）。図１０（ａ）はロータコア１００の平面図、図１０（ｂ）はロータコア１００の正面図である。ロータコア１００は、強磁性体からなる、円板が周方向に複数（図では４個）に分割された扇形の薄板１０２が、回転軸１０１方向に積層され、周方向に結合されてなる。薄板１０２の内部には、磁石１０６を挿入するための孔１０３が設けられる。ロータコア１００においては、１個の磁石１０６が、薄板１０２が積層されてなる１個のブロックに収められる。そのため、ロータコア１００は、極間（Ｎ極とＳ極の間）で分割されている。
【０００３】
通常、周方向に隣接する薄板１０２は、薄板１０２の外周の分割境界のレーザ溶接部１０４をレーザ溶接される。薄板１０２の表面は薄い絶縁膜で覆われているため、積層された薄板１０２どうしは、レーザ溶接部１０４を除き、電気的に絶縁されている。
【０００４】
ロータコア１００は、厚さ０．３ｍｍ〜０．５ｍｍ程度の薄板１０２が、２００枚〜３００枚程度積層されたものである。そのため、ロータコア１００全体では、各薄板１０２の僅かな厚さの誤差が累積され、厚さ方向の累積誤差が一枚の薄板１０２の厚さを超えることがある。さらに、レーザの位置決め誤差もある。
【０００５】
薄板１０２の厚さ誤差とレーザの位置決め誤差が重なると、図１０（ｂ）に示すように、レーザ溶け込み部１０５の位置は回転軸１０１方向にばらつくおそれがある。レーザ溶け込み部１０５の位置が回転軸１０１方向にばらつくと、図１０（ｂ）に示すように、レーザ溶け込み部１０５は回転軸１０１方向に隣接する薄板１０２に及ぶことがある。この場合、レーザ溶け込み部１０５により、回転軸１０１方向に隣接する薄板１０２が電気的に導通する。これは渦電流を考慮すると望ましくない。従って、レーザ溶け込み部１０５が回転軸方向に隣接する薄板１０２に及ばないようにする必要がある。特に、ロータコア１００外周は、エアギャップを介してステータコアと対向しているため、磁束の変化が激しい。そのため、レーザ溶け込み部１０５により、回転軸１０１方向に隣接する薄板１０２が電気的に導通した場合、渦電流の影響が大きくなる。
【０００６】
図１１は、ＰＭモータに用いられる、従来の第２例のロータコア１１０である。図１１（ａ）はロータコア１１０の平面図、図１１（ｂ）はロータコア１１０の正面図である。ロータコア１１０は、強磁性体からなる、円板が周方向に複数（図では６個）に分割された扇形の薄板１１２が、回転軸１１１方向に積層され、周方向に結合されてなる。薄板１１２の内部には、磁石１１６を挿入するための孔１１３が設けられる。ロータコア１１０においては、２個の磁石１１６が、薄板１１２が積層されてなる隣り合う２個のブロックに、極をそろえて収められる。そのため、ロータコア１１０は、極内（Ｎ極内およびＳ極内）で分割されている。
【０００７】
従来のロータコア１００の場合と同様、薄板１１２の厚さ誤差とレーザの位置決め誤差が重なると、図１１（ｂ）に示すように、レーザ溶け込み部１１５の位置は回転軸方向にばらつくおそれがある。その場合、レーザ溶け込み部１１５は回転軸方向に隣接する薄板１１２に及び、回転軸方向に隣接する薄板１１２が電気的に導通することがある。これは渦電流を考慮すると望ましくない。
【０００８】
特許文献１、２に記載されたロータコアでは、積層された薄板の外周の一部を、回転軸方向に連続的にレーザ溶接する。従って、レーザ溶け込み部は回転軸方向に隣接する薄板に及び、薄板は回転軸方向に電気的に導通すると推測される。特許文献１、２では、回転軸方向の導通を抑えるような特別な方策は、採られていないようである。そのため特許文献１、２に記載されたロータコアには、渦電流による性能低下のおそれがある。
【先行技術文献】
【特許文献】
【０００９】
【特許文献１】特開２００３−３０４６７０号公報
【特許文献２】特開２００２−２０９３４５号公報
【発明の概要】
【発明が解決しようとする課題】
【００１０】
従来のロータコア１００、１１０では、薄板１０２、１１２の厚さ誤差とレーザの位置決め誤差が累積して、レーザ溶け込み部１０５、１１５の位置が回転軸方向にばらつき、回転軸方向に隣接する薄板１０２、１１２に、レーザ溶け込み部１０５、１１５が及ぶことがある。この場合、回転軸方向に隣接する薄板１０２、１１２が電気的に導通するおそれがある。これは渦電流を考慮すると望ましくない。
【００１１】
本発明の目的は、薄板の厚さ誤差とレーザの位置決め誤差が従来と変わらない場合でも、回転軸方向に隣接する薄板にレーザ溶け込み部が及ばず、回転軸方向に隣接する薄板との電気絶縁性が維持されるロータコアを実現することである。
【課題を解決するための手段】
【００１２】
（１）本発明は、円板を周方向に複数に分割してなる薄板が、回転軸方向に積層され、周方向に結合されてなるロータコアである。薄板は、外周または内周の分割部にレーザ溶接部を備える。薄板は、外周または内周の非分割部に、外周または内周から、後退または突出した非溶接部を備える。レーザ溶接部と非溶接部は、回転軸方向に交互に配置される。
【００１３】
（２）本発明のロータコアでは、各薄板内において、レーザ溶接の溶け込み部は非溶接部に及ばない。
【００１４】
（３）本発明のロータコアでは、レーザ溶接部が、積層された各薄板へのスポット溶接により形成される。
【００１５】
（４）本発明のロータコアでは、レーザ溶接部が、回転軸方向の連続溶接により形成される。
【００１６】
（５）本発明のロータコアでは、レーザ溶接部が直線状または回転軸を中心とする円弧状であり、非溶接部が、レーザ溶接部より曲率半径の小さい凹形状である。
【００１７】
（６）本発明のロータコアでは、レーザ溶接部付近を除き、積層された薄板の分割境界面が、回転軸方向に同一面をなす。
【００１８】
（７）本発明のロータコアは、レーザ溶接部を極中心部に有する。
【００１９】
（８）本発明のロータコアは、レーザ溶接部を、極中心部と、回転方向反対側の極間部との間に有する。
【００２０】
（９）本発明のロータコアは、レーザ溶接部と磁石孔の間に溶接熱遮断空隙を有する。
【００２１】
（１０）本発明のロータコアは、レーザ溶接部を極間部に有する。
【００２２】
（１１）本発明のロータコアは、ロータ外周近傍の磁石孔端部に、溶接熱遮断空隙を有する。
【００２３】
（１２）本発明のロータコアは、さらにレーザ溶接により回転軸と締結される。
【００２４】
（１３）本発明のロータコアでは、レーザ溶接によりロータコア端部が回転軸と締結される。
【００２５】
（１４）本発明のロータコアでは、ロータコア分割部のレーザ溶接と、ロータコア端部と回転軸のレーザ溶接が兼用される。
【００２６】
（１５）本発明のモータは、上記のロータコアを備える。
【００２７】
（１６）本発明のロータコアの製造方法は、
外周または内周の分割部にレーザ溶接部を有し、外周または内周の非分割部に、外周または内周から、後退または突出した非溶接部を有する、円板を周方向に複数に分割してなる薄板を準備するステップと、
前記レーザ溶接部と非溶接部が、回転軸方向に交互に配置されるように、前記薄板を積層するステップと、
積層された前記薄板を周方向に結合するステップと、
前記レーザ溶接部をスポット溶接するステップを含む。
【００２８】
（１７）本発明のロータコアの製造方法は、
外周または内周の分割部にレーザ溶接部を有し、外周または内周の非分割部に、外周または内周から、後退または突出した非溶接部を有する、円板を周方向に複数に分割してなる薄板を準備するステップと、
前記レーザ溶接部と非溶接部が、回転軸方向に交互に配置されるように、前記薄板を積層するステップと、
積層された前記薄板を周方向に結合するステップと、
前記レーザ溶接部を連続溶接するステップを含む。
【発明の効果】
【００２９】
本発明により、薄板の厚さ誤差とレーザの位置決め誤差が従来と変わらない場合でも、回転軸方向に隣接する薄板にレーザ溶け込み部が及ばず、回転軸方向の隣接する薄板との電気絶縁性が維持されたロータコアが実現される。
【図面の簡単な説明】
【００３０】
【図１】（ａ）本発明のロータコアの平面図、（ｂ）本発明のロータコアの正面図
【図２】（ａ）スポットレーザ溶接後の本発明のロータコアの平面図、（ｂ）スポットレーザ溶接後の本発明のロータコアの正面図
【図３】（ａ）連続レーザ溶接後の本発明のロータコアの平面図、（ｂ）連続レーザ溶接後の本発明のロータコアの正面図
【図４】（ａ）本発明のロータコアの平面図、（ｂ）本発明のロータコアの正面図
【図５】（ａ）溶接熱遮断空隙を有する本発明のロータコアの平面図、（ｂ）溶接熱遮断空隙を有する本発明のロータコアの正面図
【図６】（ａ）本発明のロータコアの平面図、（ｂ）本発明のロータコアの正面図
【図７】（ａ）本発明のロータコアの平面図、（ｂ）本発明のロータコアの正面図
【図８】（ａ）本発明のロータコアの平面図、（ｂ）本発明のロータコアの断面図
【図９】（ａ）本発明のロータコアの平面図、（ｂ）本発明のロータコアの断面図、（ｃ）本発明のロータコアの正面図
【図１０】（ａ）スポットレーザ溶接後の従来のロータコアの平面図、（ｂ）スポットレーザ溶接後の従来のロータコアの正面図
【図１１】（ａ）スポットレーザ溶接後の従来のロータコアの平面図、（ｂ）スポットレーザ溶接後の従来のロータコアの正面図
【発明を実施するための形態】
【００３１】
本発明のロータコアは、円板を周方向に複数に分割してなる薄板が、回転軸方向に積層され、周方向に結合されてなる。薄板は、外周または内周の分割部にレーザ溶接部を備える。薄板は、外周または内周の非分割部に、外周または内周から、後退または突出した非溶接部を備える。レーザ溶接部と非溶接部は、回転軸方向に交互に配置される。
【００３２】
本発明のロータコアにおいては、レーザ照射位置が回転軸方向にばらついても、レーザ溶け込み部は隣接する回転軸方向の薄板に及ばない。例えば、第１層のレーザ照射位置が下方にずれた場合、第２層の薄板も同時にレーザ照射される。第１層の薄板のレーザ溶接部には、レーザの焦点が合っているため、溶融してレーザ溶け込み部が形成される。しかし、第２層の薄板のレーザ照射部分は、ロータコアの外周または内周から後退した凹形状（または突出した凸形状）の非溶接部であるため、レーザの焦点が合わない。このため、第２層の非溶接部はレーザが照射されても溶融しない。従って、レーザ照射位置が下方にずれても、レーザ溶け込み部は第１層の薄板のみに形成される。その結果、第１層の薄板と第２層の薄板の電気的絶縁が維持される。
【００３３】
レーザ溶接部の形状は、ロータコアの外周（回転軸を中心とする円弧状）または内周（回転軸を中心とする円弧状）、あるいはロータコアの外周の接線（直線状）または内周の接線（直線状）が適当である。非溶接部は、レーザの焦点が合わなければよいので、ロータコアの外周あるいは内周から後退した凹形状でもよいし、ロータコアの内周から突出した凸形状でもよい。非溶接部の形状には、円弧状、矩形状などがあり、特に限定はされない。非溶接部が円弧状（円弧に近い形状も含む）の場合、その円弧の曲率半径は、レーザ溶接部の曲率半径より小さいことが望ましい。
【実施例】
【００３４】
図１は、本発明の第１例のロータコア１０である。図１（ａ）はロータコア１０の平面図、図１（ｂ）はロータコア１０の正面図である。本発明のロータコア１０は、強磁性体からなる、円板が周方向に複数（図では６個）に分割された扇形の薄板１２が、回転軸１１方向に積層され、周方向に結合されてなる。薄板１２の内部には、磁石１４を挿入するための孔１３が設けられる。ロータコア１０においては、２個の磁石１４が、積層された薄板１２の隣り合う２個のブロックに、極をそろえて収められる。そのため、ロータコア１０は極内（Ｎ極内およびＳ極内）で分割されている。
【００３５】
図１（ａ）では、ロータコア１０の分割線は複数の直線の組合せ（折れ線）であるが、分割線は適当な曲線でもよい。薄板１２の表面は薄い絶縁膜で覆われているため、回転軸方向に隣接する薄板１２どうしは、電気的に絶縁されている。
【００３６】
第１層の薄板１２ａと第２層の薄板１２ｂは、分割部すなわちレーザ溶接部１５、１６付近の形状が異なる。第３層の薄板１２ｃは、第１層の薄板１２ａと同じ形状であり、第４層の薄板１２ｄは、第２層の薄板１２ｂと同じ形状である。第５層以後も、奇数層は第１層の薄板１２ａと同じ形状であり、偶数層は第２層の薄板１２ｂと同じ形状である。
【００３７】
第１層の薄板１２ａは、レーザ溶接部１５と非溶接部１７を備える。第２層の薄板１２ｂは、レーザ溶接部１６と非溶接部１８を備える。第３層以降の薄板１２ｃ、１２ｄ、...も、奇数層はレーザ溶接部１５と非溶接部１７を備え、偶数層はレーザ溶接部１６と非溶接部１８を備える。
【００３８】
非溶接部１７、１８は、ロータコア１０の外周から後退した凹形状である。非溶接部１７の凹み量ｈ１および非溶接部１８の凹み量ｈ２は、凹みによりレーザの焦点が外れ、凹み内部がレーザに照射されても、溶融しないように設定される。
【００３９】
非溶接部１７の凹み量ｈ１および非溶接部１８の凹み量ｈ２は、望ましくは、同じ値に設定される。これにより、奇数層の薄板１２ａ、１２ｃ、...と、偶数層の薄板１２ｂ、１２ｄ、...は線対称形となる。従って、同一形状の薄板１２を、表、裏、表、裏、...と積層して、ロータコア１０を形成することができる。このようにすると薄板の打ち抜き金型が１種類で済む。
【００４０】
第１層の薄板１２ａのレーザ溶接部１５の中心と、第２層の薄板１２ｂの非溶接部１８の中心は、回転軸１１方向に一致する。第１層の薄板１２ａの非溶接部１７の中心と、第２層の薄板１２ｂのレーザ溶接部１６の中心は、回転軸１１方向に一致する。この関係は、第３層以降の薄板１２ｃ、１２ｄ、...についても同様である。
【００４１】
薄板１２のレーザ溶接部１５、１６がレーザ溶接される。図１は、レーザ溶接部１５、１６がレーザ溶接される前の図である。
【００４２】
第１層の薄板１２ａ、第２層の薄板１２ｂ、第３層の薄板１２ｃ、第４層の薄板１２ｄ、...の回転軸１１側の分割境界１９は、積層されたとき、回転軸方向に一つの面をなすように設定される。これにより、ロータコア１０の分割面の精度向上が図れる。また、ロータコア１０の分割箇所が異なることにより薄板の積層方向に流れる磁束（垂直磁束）の低減が実現される。
【００４３】
図２は、本発明のロータコア１０のレーザ溶接後の図である。図２（ａ）は、ロータコア１０の平面図、図２（ｂ）は、ロータコア１０の正面図である。図２はスポット溶接の場合である。
【００４４】
ロータコア１０は、厚さ０．３ｍｍ〜０．５ｍｍ程度の薄板１２ａ、１２ｂ、１２ｃ、１２ｄ、...が、２００枚〜３００枚程度積層されて形成される。そのため、ロータコア１０全体では、薄板１２ａ、１２ｂ、１２ｃ、１２ｄ、...の僅かな厚さの誤差が累積され、厚さ方向の累積誤差が一枚の薄板の厚さを超えることもある。さらに、レーザの位置決め誤差もある。
【００４５】
薄板１２ａ、１２ｂ、１２ｃ、１２ｄ、...の厚さ誤差とレーザの位置決め誤差が重なると、図２（ｂ）に示すように、レーザ溶け込み部２０、２１の位置は回転軸方向にばらつくことがある。しかし図２（ｂ）に示すように、本発明のロータコア１０においては、レーザ溶け込み部２０、２１の位置が回転軸方向にばらついても、レーザ溶け込み部２０、２１は回転軸方向に隣接する薄板には及ばない。
【００４６】
図２（ｂ）では、第１層の薄板１２ａのレーザ溶け込み部２０は下方にずれている。その原因はレーザ照射位置が下方にずれているためである。そのため第１層の薄板１２ａと第２層の薄板１２ｂは、同時にレーザ照射される。第１層の薄板１２ａのレーザ溶接部１５には、レーザの焦点が合っているため、溶融してレーザ溶け込み部２０が形成される。しかし、第２層の薄板１２ｂのレーザ照射部分は、ロータコア１０の外周から後退した凹形状の非溶接部１８であるため、レーザの焦点が合わない。このため、第２層の薄板１２ｂの非溶接部１８はレーザが照射されても溶融しない。従って、レーザ照射位置は下方にずれているが、レーザ溶け込み部２０は第２層の薄板１２ｂには形成されない。その結果、第１層の薄板１２ａと第２層の薄板１２ｂの電気的絶縁が維持される。
【００４７】
同様に、レーザ照射位置が回転軸方向にずれても、第２層の薄板１２ｂのレーザ溶け込み部２１は、第１層の薄板１２ａおよび第３層の薄板１２ｃに及ばない。従って、第２層の薄板１２ｂのレーザ照射により、第２層の薄板１２ｂと、第１層の薄板１２ａおよび第３層の薄板１２ｃとの間の電気的絶縁が破壊されることはない。
【００４８】
同様のことが、ロータコア１０を形成する全ての薄板１２ａ、１２ｂ、１２ｃ、１２ｄ、...について言える。従って、レーザ照射位置が回転軸方向にずれても、全ての薄板１２ａ、１２ｂ、１２ｃ、１２ｄ、...間の回転軸１１方向の絶縁は維持される。
【００４９】
１枚の薄板（例えば薄板１２ａ）の中で、レーザ溶け込み部２０が非溶接部１７に達すると、非溶接部１７が溶融して、回転軸方向に隣接する薄板との絶縁が失われるおそれがある。そのため、レーザ溶け込み部２０が非溶接部１７に及ばない距離まで、レーザ溶接部１５と非溶接部１７は離される。同様に、レーザ溶け込み部２１が非溶接部１８に及ばない距離まで、レーザ溶接部１６と非溶接部１８は離される。
【００５０】
薄板１２ａ、１２ｂ、１２ｃ、１２ｄ、...を積層してなるブロックは、回転軸１１とレーザ溶接部２４により溶接固定されてもよい。レーザ溶接部２４は、望ましくは、ロータコア１０の端部（図２（ｂ）での上端、下端）に設けられる。ロータコア１０の分割部のレーザ溶接と、ロータコア１０の端部とのレーザ溶接を兼用することもできる。このとき、回転軸１１周辺までは磁束の変化が及ばないので、溶接部と非溶接部を設ける必要は無い。ロータコア１０の外周が溶接されていることを前提として、ロータコア１０の端部の１枚の薄板のみを、回転軸１１と溶接すれば十分である。
【００５１】
レーザ照射位置が回転軸方向にずれても、回転軸方向に隣接する薄板の絶縁が維持される原理を利用すると、レーザはスポット照射ではなく、回転軸方向の連続照射でもよい。連続照射の方がスポット照射より制御が容易である。
【００５２】
図３は、本発明のロータコア１０において、回転軸方向に連続的にレーザ溶接した場合の図である。図３（ａ）はロータコア１０の平面図、図３（ｂ）はロータコア１０の正面図である。図２のスポット溶接の場合とは異なり、レーザを回転軸方向に移動させるとき、レーザの強度は一定でもよい。
【００５３】
レーザが回転軸方向（図３（ｂ）では下方）に移動しながら、第１層の薄板１２ａのレーザ溶接部１５を照射すると、レーザ溶接部１５にレーザの焦点が合うため、レーザ溶接部１５は溶融し、レーザ溶け込み部２２が形成される。次にレーザが第２層の薄板１２ｂに移動すると、レーザ照射部分は、ロータコア１０の外周から後退した凹形状の非溶接部１８であるため、レーザの焦点が合わない。このため、非溶接部１８はレーザが照射されても溶融しない。従って、レーザが第２層の薄板１２ｂを下方に移動しながら照射しても、第２層の薄板１２ｂにはレーザ溶け込み部が形成されない。
【００５４】
次にレーザが回転軸方向に移動しながら、第３層の薄板１２ｃのレーザ溶接部１５を照射すると、レーザ溶接部１５に焦点が合うため、レーザ溶接部１５は溶融し、レーザ溶け込み部２２が形成される。
【００５５】
レーザが第４層の薄板１２ｄに移動すると、レーザ照射部分は、凹形状の非溶接部１８であるため、レーザの焦点が合わない。このため、レーザが第４層の薄板１２ｃを下方に移動しながら照射しても、第４層の薄板１２ｄにはレーザ溶け込み部が形成されない。
【００５６】
このようにして、第１層の薄板１２ａのレーザ溶接部１５、第３層の薄板１２ｃのレーザ溶接部１５など、奇数層の薄板１２ａ、１２ｃ、...のレーザ溶接部１５にはレーザ溶け込み部２２が形成される。しかし偶数層の薄板１２ｂ、１２ｄ、...にはレーザ溶け込み部が形成されない。
【００５７】
次にレーザの照射ラインを、第２層の薄板１２ｂのレーザ溶接部１６に移動させて、レーザを回転軸方向（図３（ｂ）では下方）に移動させる。上記と同様にして、第２層の薄板１２ｂのレーザ溶接部１６にはレーザ溶け込み部２３が形成される。第１層の薄板１２ａ、第３層の薄板１２ｃにはレーザ溶け込み部が形成されない。これを繰り返して、第２層の薄板１２ｂのレーザ溶接部１６、第４層の薄板１２ｄのレーザ溶接部１６など、偶数層の薄板１２ｂ、１２ｄ、...のレーザ溶接部１６のレーザ溶け込み部２３が形成される。しかし奇数層の薄板１２ａ、１２ｃ、...にはレーザ溶け込み部が形成されない。
【００５８】
１枚の薄板（例えば薄板１２ａ）の中で、レーザ溶け込み部２２が非溶接部１７に達すると、非溶接部１７が溶融して、回転軸方向に隣接する薄板１２ａ、１２ｂ、１２ｃ、１２ｄ、...の絶縁が失われるおそれがある。そのため、レーザ溶け込み部２２が非溶接部１７に及ばない距離に、レーザ溶接部１５と非溶接部１７は離される。同様に、レーザ溶け込み部２３が非溶接部１８に及ばない距離に、レーザ溶接部１６と非溶接部１８は離される。
【００５９】
図４は、本発明の第２例のロータコア３０である。図４（ａ）はロータコア３０の平面図、図４（ｂ）はロータコア３０の正面図である。ロータコア３０は、強磁性体からなる、円板を周方向に複数（図では６個）に分割してなる扇形の薄板３１が、回転軸１１方向に積層され、周方向に結合されてなる。薄板３１の内部には、磁石３２を挿入するための孔３３が設けられる。ロータコア３０においては、２個の磁石３２が、積層された薄板３１の隣り合う２個のブロックに、極をそろえて収められる。そのため、ロータコア３０は極内（Ｎ極内およびＳ極内）で分割されている。
【００６０】
ロータコア３０の特徴は、極中心部３４（磁束密度の高い部分）を避けて、ロータコア３０を分割していることである。これにより、ロータコア３０の磁束利用効率が高くなる。このため、レーザ溶接部３５、３６、および非溶接部３７、３８は、極中心部３４と、回転方向３９反対側の極間部４０との間に設けられる。永久磁石をロータコア内部に埋設した埋め込み磁石モータにおいては、ロータコア表面付近において、磁石の磁束が回転方向に集中するからである。なお、図４（ａ）では、ロータコア３０の分割線は複数の直線の組合せ（折れ線）であるが、分割線は適当な曲線でもよい。
【００６１】
図５（ａ）は、本発明のロータコア１０に溶接熱遮断空隙２５を設けた場合の平面図である。図５（ｂ）は、本発明のロータコア３０に溶接熱遮断空隙４１を設けた場合の平面図である。図５（ａ）のように、ロータコア１０の、レーザ溶接部１５、１６と、磁石１４の孔１３との間に、溶接熱遮断空隙２５を設けると、レーザ溶接の熱が磁石１４に伝わり難くなり、熱による磁石１４の劣化が抑えられる。また、図５（ｂ）のように、ロータコア３０の、レーザ溶接部３５、３６と、磁石３２の孔３３との間に、溶接熱遮断空隙４１を設けると、レーザ溶接の熱が磁石３２に伝わり難くなり、熱による磁石３２の劣化が抑えられる。
【００６２】
図６は、本発明の第３例のロータコア５０である。図６（ａ）はロータコア５０の平面図、図６（ｂ）はロータコア５０の正面図である。ロータコア５０は、強磁性体からなる、円板が周方向に複数（図では４個）に分割された扇形の薄板５１が、回転軸１１方向に積層され、周方向に結合されてなる。薄板５１の内部には、磁石５２を挿入するための孔５３が設けられる。ロータコア５０においては、１個の磁石５２が、薄板５１が積層されてなる１個のブロックに収められる。そのため、ロータコア５０は、極間（Ｎ極とＳ極の間）で分割されている。この構成においては、磁石埋設用の孔５３が分割されないので、磁石５２を遠心力に対して保持する強度が大きくなる。
【００６３】
ロータコア５０の分割部の周近傍に、レーザ溶接部５４、５５と、非溶接部５６、５７が設けられる。ロータコア５０においては、ロータコア５０外周近傍の、磁石５２の孔５３の端部に、孔５３の延長として、溶接熱遮断空隙５８が設けられる。溶接熱遮断空隙５８により、レーザ溶接の熱が磁石５２に伝わり難くなり、熱による磁石５２の劣化が抑えられる。溶接熱遮断空隙５８には、磁石５２の磁束が、磁石５２の端部において短絡するのを防止する機能もある。
【００６４】
図７は、本発明の第４例のロータコア６０である。図７（ａ）はロータコア６０の平面図、図７（ｂ）はロータコア６０の正面図である。ロータコア１０、３０、５０はインナーロータであったが、ロータコア６０はアウターロータである。ロータコア６０は、強磁性体からなる、ドーナツ形の円板が周方向に複数（図では１０個）に分割された薄板６１が、回転軸１１方向に積層され、周方向に結合されてなる。薄板６１の内部には、磁石６２を挿入するための孔６３が設けられる。ロータコア６０においては、１個の磁石６２が、薄板６１が積層されてなる１個のブロックに収められる。そのため、ロータコア６０は、極間（Ｎ極とＳ極の間）で分割されている。ロータコア６０の外周の分割部分に、レーザ溶接部６４、６５と非溶接部６６、６７が設けられる。
【００６５】
レーザを回転軸１１方向に移動させながら、スポット溶接あるいは連続溶接したとき、レーザ溶接部６４、６５にはレーザ溶け込み部が形成される。非溶接部６６、６７にはレーザが照射されても、レーザ溶け込み部が形成されない。
【００６６】
図８は、本発明の第５例のロータコア７０である。図８（ａ）はロータコア７０の平面図、図８（ｂ）はロータコア７０のＡ−Ａ断面図である。ロータコア７０はアウターロータである。ロータコア７０は、強磁性体からなる、ドーナツ形の円板が周方向に複数（図では１０個）に分割された薄板７１が、回転軸１１方向に積層され、周方向に結合されてなる。薄板７１の内部には、磁石７２を挿入するための孔７３が設けられる。ロータコア７０においては、１個の磁石７２が、薄板７１が積層されてなる２個のブロックに半分ずつ収められる。そのため、ロータコア７０は、極内（Ｎ極またはＳ極の内部）で分割されている。ロータコア７０の内周の分割部分に、レーザ溶接部７４、７５と非溶接部７６、７７が設けられる。
【００６７】
レーザを回転軸１１方向に移動させながら、スポット溶接あるいは連続溶接したとき、レーザ溶接部７４、７５にはレーザ溶け込み部が形成される。非溶接部７６、７７にはレーザが照射されても、レーザ溶け込み部が形成されない。
【００６８】
図９は、本発明の第６例のロータコア８０である。図９（ａ）はロータコア８０の平面図、図９（ｂ）はロータコア８０のＡ−Ａ断面図、図９（ｃ）はロータコア８０の正面図である。ロータコア８０はアウターロータである。ロータコア８０は、強磁性体からなる、ドーナツ形の円板が周方向に複数（図では１０個）に分割された薄板８１が、回転軸１１方向に積層され、周方向に結合されてなる。薄板８１の内部には、磁石８２を挿入するための孔８３が設けられる。ロータコア８０においては、１個の磁石８２が、薄板８１が積層されてなる２個のブロックに半分ずつ収められる。そのため、ロータコア８０は、極内（Ｎ極またはＳ極の内部）で分割されている。ロータコア８０の内周の分割部分に、レーザ溶接部８４、８５と非溶接部８６、８７が設けられる。ロータコア８０の外周の分割部分に、レーザ溶接部８８、８９と非溶接部９０、９１が設けられる。
【００６９】
レーザを回転軸１１方向に移動させながら、スポット溶接あるいは連続溶接したとき、レーザ溶接部８４、８５、８８、８９にはレーザ溶け込み部が形成される。非溶接部８６、８７、９０、９１にはレーザが照射されても、レーザ溶け込み部が形成されない。
【産業上の利用可能性】
【００７０】
本発明のロータコアは、ＰＭモータ、シンクロナスリラクタンスモータ、スイッチドリラクタンスモータに好適に用いられる。
【符号の説明】
【００７１】
１０ ロータコア
１１ 回転軸
１２ 薄板
１２ａ、１２ｂ、１２ｃ、１２ｄ 薄板
１３ 孔
１４ 磁石
１５、１６ レーザ溶接部
１７、１８ 非溶接部
１９ 分割境界
２０、２１、２２、２３ レーザ溶け込み部
２４ レーザ溶接部
２５ 溶接熱遮断空隙
３０ ロータコア
３１ 薄板
３２ 磁石
３３ 孔
３４ 極中心部
３５、３６ レーザ溶接部
３７、３８ 非溶接部
３９ 回転方向
４０ 極間部
４１ 溶接熱遮断空隙
５０ ロータコア
５１ 薄板
５２ 磁石
５３ 孔
５４、５５ レーザ溶接部
５６、５７ 非溶接部
５８ 溶接熱遮断空隙
６０ ロータコア
６１ 薄板
６２ 磁石
６３ 孔
６４、６５ レーザ溶接部
６６、６７ 非溶接部
７０ ロータコア
７１ 薄板
７２ 磁石
７３ 孔
７４、７５ レーザ溶接部
７６、７７ 非溶接部
８０ ロータコア
８１ 薄板
８２ 磁石
８３ 孔
８４、８５ レーザ溶接部
８６、８７ 非溶接部
８８、８９ レーザ溶接部
９０、９１ 非溶接部
１００ ロータコア
１０１ 回転軸
１０２ 薄板
１０３ 孔
１０４ レーザ溶接部
１０５ レーザ溶け込み部
１０６ 磁石
１１０ ロータコア
１１１ 回転軸
１１２ 薄板
１１３ 孔
１１５ レーザ溶け込み部
１１６ 磁石
【図１】
2012205446.tif 000003
【図２】
2012205446.tif 000004
【図３】
2012205446.tif 000005
【図４】
2012205446.tif 000006
【図５】
2012205446.tif 000007
【図６】
2012205446.tif 000008
【図７】
2012205446.tif 000009
【図８】
2012205446.tif 000010
【図９】
2012205446.tif 000011
【図１０】
2012205446.tif 000012
【図１１】
2012205446.tif 000013